(57)【要約】【課題】紐状部材を用いることなく額縁を吊り下げることができる吊り具を提供する。【解決手段】吊り具５は、額縁１の溝部７に解除可能に固定する固定体16を備える。この固定体16の側端部には、長尺体17を一体に設ける。長尺体17は、複数の係合孔部分52を形成した長尺部51を有する。この長尺部51の先端部には、係合孔部分52と係脱可能に係合する形状の係合部53を一体に設ける。【選択図】図１
2014128311.tif 000002
【特許請求の範囲】
【請求項１】
溝部を有する額縁を吊り下げる際に用いられる吊り具であって、
前記溝部に解除可能に固定される固定体と、
この固定体に設けられた長尺体とを具備し、
前記長尺体は、
係合孔部分を有する長尺部と、
この長尺部に設けられ、前記係合孔部分と係合する形状の係合部とを備える
ことを特徴とする吊り具。
【請求項２】
長尺部は、この長尺部の長手方向に間隔をおいて並ぶ複数の係合孔部分を有し、
係合部は、前記長尺部の先端部に突設されている
ことを特徴とする請求項１記載の吊り具。
【請求項３】
係合部は、平面視でＴ字状をなす板状に形成されている
ことを特徴とする請求項１または２記載の吊り具。
【請求項４】
固定体は、
額縁の溝部に解除可能に固定される本体部と、
この本体部に対して回動可能となっており、前記溝部に解除可能に固定される回動操作部とを備え、
前記回動操作部の一方向への回動に基づいて前記回動操作部が前記本体部に圧着すると、前記本体部および前記回動操作部が前記溝部に固定され、
前記回動操作部の他方向への回動に基づいて前記回動操作部の前記本体部への圧着が解除されると、前記本体部および前記回動操作部の前記溝部への固定が解除される
ことを特徴とする請求項１ないし３のいずれか一記載の吊り具。
【発明の詳細な説明】
【技術分野】
【０００１】
本発明は、紐状部材を用いることなく、額縁を吊り下げることができる吊り具に関するものである。
【背景技術】
【０００２】
従来、例えば特許文献１に記載された額吊り金具である吊り具が知られている。
【０００３】
この従来の吊り具は、紐状部材である吊紐を通す紐掛け部と、この紐掛け部の一端部に設けられ額縁の溝部と係合する第１の係合片と、紐掛け部の他端部に設けられビス孔が形成された固定片と、この固定片の先端部に第１の係合片と離間対向するように設けられた第２の係合片とを備えている。
【０００４】
そして、互いに離間対向する第１の係合片および第２の係合片を額縁の溝部に係合させ、固定片を額縁の溝部にビス止めにより固定した後、紐掛け部に吊紐を通すことによって、額縁を壁面等に吊り下げることが可能となる。
【先行技術文献】
【特許文献】
【０００５】
【特許文献１】特開平９−２５２９０２号公報
【発明の概要】
【発明が解決しようとする課題】
【０００６】
しかしながら、上記従来の吊り具では、額縁を吊り下げようとした際に、この吊り具とは別に、吊紐等の紐状部材が必要である。
【０００７】
本発明は、このような点に鑑みなされたもので、紐状部材を用いることなく、額縁を吊り下げることができる吊り具を提供することを目的とする。
【課題を解決するための手段】
【０００８】
請求項１記載の吊り具は、溝部を有する額縁を吊り下げる際に用いられる吊り具であって、前記溝部に解除可能に固定される固定体と、この固定体に設けられた長尺体とを具備し、前記長尺体は、係合孔部分を有する長尺部と、この長尺部に設けられ、前記係合孔部分と係合する形状の係合部とを備えるものである。
【０００９】
請求項２記載の吊り具は、請求項１記載の吊り具において、長尺部は、この長尺部の長手方向に間隔をおいて並ぶ複数の係合孔部分を有し、係合部は、前記長尺部の先端部に突設されているものである。
【００１０】
請求項３記載の吊り具は、請求項１または２記載の吊り具において、係合部は、平面視でＴ字状をなす板状に形成されているものである。
【００１１】
請求項４記載の吊り具は、請求項１ないし３のいずれか一記載の吊り具において、固定体は、額縁の溝部に解除可能に固定される本体部と、この本体部に対して回動可能となっており、前記溝部に解除可能に固定される回動操作部とを備え、前記回動操作部の一方向への回動に基づいて前記回動操作部が前記本体部に圧着すると、前記本体部および前記回動操作部が前記溝部に固定され、前記回動操作部の他方向への回動に基づいて前記回動操作部の前記本体部への圧着が解除されると、前記本体部および前記回動操作部の前記溝部への固定が解除されるものである。
【発明の効果】
【００１２】
本発明によれば、紐状部材を用いることなく、額縁を吊り下げることができる。
【図面の簡単な説明】
【００１３】
【図１】本発明の一実施の形態に係る吊り具および額縁の溝部の一部を示す斜視図である。
【図２】同上吊り具の斜視図である。
【図３】同上吊り具の一部が額縁の溝部内に挿入された状態を示す図で、（ａ）が斜視図であり、（ｂ）が側面図である。
【図４】同上吊り具が額縁の溝部に固定された状態を示す図で、（ａ）が斜視図であり、（ｂ）が側面図である。
【図５】同上吊り具の使用状態を示す斜視図である。
【図６】同上吊り具の他の使用状態を示す正面図である。
【図７】同上吊り具のさらに他の使用状態を示す正面図である。
【図８】図７の使用状態で用いられている延長用の吊り具を示す斜視図である。
【図９】延長用の吊り具で額縁を連結した状態を示す斜視図である。
【発明を実施するための形態】
【００１４】
本発明の一実施の形態について図面を参照して説明する。
【００１５】
図５において、１は額縁で、この額縁１は、矩形環状をなす例えばアルミニウム製の外枠体である額縁本体２と、この額縁本体２の内側に脱着可能に嵌め込まれた内容物３と、額縁本体２に取り付けられ内容物３の裏面を押えるトンボ等の裏面押え体（図示せず）とを備えている。
【００１６】
そして、額縁１は、周知の吊紐やワイヤー等の紐状部材を用いることなく、可撓性を有する弾性変形可能な複数、すなわち例えば左右２つの長手状の額縁用の吊り具（連結板）５によって、例えば室内の壁面に吊り下げられている。
【００１７】
すなわち、額縁本体２の左側に固定解除可能に固定された一方の吊り具５と額縁本体２の右側に固定解除可能に固定された他方の吊り具５とが互いに連結されて１本の連結吊り具６となっており、この連結吊り具６の中央部が室内の壁面のフック（図示せず）に引っ掛けられている。
【００１８】
内容物３は、透明なガラス製等の表板と、木製等の裏板と、これら表板および裏板にて挟持された作品（写真や絵等）とを有している。
【００１９】
額縁本体２は、図１および図５等に示されるように、各辺に沿ったそれぞれ長手状をなす上下左右４つの溝部７と、この蟻溝状の各溝部７に額縁本体２の内側に向かって突設され内容物３の表面端部を支持する湾曲板状の表面支持部８とを有している。
【００２０】
溝部７は、額縁１の裏面方向（図１では、上方向）に向かって開口する断面略Ｃ字状をなすものである。溝部７は、額縁１の表面側に位置する細長い矩形板状の溝底板11を有している。溝底板11の短手方向両端部には、細長い矩形板状の溝側板12が溝底板11と直交するように一体に立設されている。各溝側板12の先端部には、細長い矩形板状の溝天板13が溝底板11と離間対向する側である内方に向かって突出しかつ溝側板12と直交するように一体に設けられている。つまり、各溝側板12の先端部から溝天板13が互いに対向する側に向かって突出している。
【００２１】
そして、互いに離間対向する対をなす溝天板13間に、溝部７の長手方向に沿ったスリット状の開口部14が形成されている。つまり、スリット状の開口部14を介して両溝天板13が互いに離間対向しており、その開口部14が溝内空間部15に連通している。
【００２２】
吊り具５は、額縁１を吊り下げる際に用いられるものであって、例えば弾性変形可能な合成樹脂によって、所定長さを有する長手状に一体に形成されている。なお、吊り具５の長さ寸法は、例えば１５０ｍｍ〜２００ｍｍ程度である。
【００２３】
吊り具５は、図１ないし図５に示されるように、額縁１の額縁本体２の溝部７の所望位置に固定解除可能に圧着固定される折り畳み可能な板状の固定体16と、この固定体16の端部に一体に連設された真っ直ぐな長手状で板状の長尺体17とを具備している。なお、長尺体17は、固定体16が固定された溝部７の長手方向と直交する方向に長手方向を有している。
【００２４】
固定体16は、額縁１の溝部７の一方側部分、すなわち例えば開口部14を介して互いに離間対向する両溝天板13のうちの一方側の溝天板（額縁本体２の内側に位置する溝天板）13に解除可能に圧着固定される本体部21と、この本体部21に対して回動中心線Ｘを中心として回動可能となっており、額縁１の溝部７の他方側部分、すなわち例えば開口部14を介して互いに離間対向する両溝天板13のうちの他方側の溝天板（額縁本体２の外側に位置する溝天板）13に解除可能に圧着固定される回動操作部22とを備えている。
【００２５】
つまり、額縁１の溝部７に対する吊り具５の着脱の際に使用者である操作者によって回動操作される回動操作部22は、回動中心線Ｘに沿って位置する長手状の折り曲げ可能な凹溝状の折曲部23を介して、本体部21の長手方向一端部に回動可能に設けられている。なお、折曲部23は、弾性変形しやすいように、本体部21および回動操作部22に比べて薄肉状に形成されている。
【００２６】
そして、回動操作部22の本体部21に対する一方向（ロック方向）への回動（１８０度回動）に基づいて回動操作部22が本体部21に圧着すると、本体部21が額縁１の溝部７の一方側部分に固定されるとともに回動操作部22が額縁１の溝部７の他方側部分に固定され、かつ、回動操作部22の本体部21に対する他方向（ロック解除方向）への回動（１８０度回動）に基づいて回動操作部22の本体部21への圧着が解除されると、それら本体部21および回動操作部22の溝部７の両側部分への固定が解除されるようになっている。なお、以下の説明では、額縁１の裏面方向を「上方向」とし、額縁１の表面方向を「下方向」として説明する。
【００２７】
ここで、固定体16の本体部21は、溝部７の長手方向に長手方向を有する矩形板状の本体板26を有している。この本体板26の下面は、溝部７の一方側の溝天板13の上面上に載置される。
【００２８】
本体板26の短手方向一端部（長尺体17側とは反対側の端部）における長手方向中央部には、矩形板状の固定板（下方突出部）28が本体板26と直交するように一体に設けられており、この固定板28は本体板26の短手方向一端部から下方に向かって突出している。
【００２９】
そして、固定板28は、溝部７の一方側の溝天板13の先端面（開口部14に臨んだ面）に解除可能に圧着固定される溝側固定面29を一方側の面に有し、回動操作部22の固定板42の圧着面40が面状に圧着する平面状の被圧着面30を反対側である他方側の面に有している。また、固定板28の溝側固定面29の下部には、溝部７の一方側の溝天板13の下面に当接係合する長手状で凸状の抜止部分31が一体に突設されている。そして、この抜止部分31の上面と本体板26の下面との間に、溝部７の溝天板13が嵌入される。
【００３０】
なお、本体板26の短手方向他端部には、細長い略矩形板状の長尺体17が本体板26と同一面上に位置するように一体に設けられている。
【００３１】
固定体16の回動操作部22は、溝部７の長手方向に長手方向を有する矩形板状の回動板41を有している。回動板41は、本体部21の本体板26の長辺方向一端部に、回動板41および本体板26に比べて薄肉状に形成された折曲部23を介して上下方向に回動可能に設けられている。つまり、回動板41は、本体板26に対して回動中心線Ｘ（折曲部23）を中心として１８０度回動可能となっている。回動板41の下面は、溝部７の一方側の溝天板13の上面上に載置される。
【００３２】
回動板41の短手方向一端部（長尺体17側とは反対側の端部）における長手方向中央部には、５角形状の固定板（上方突出部）42が回動板41と直交するように一体に設けられており、この固定板42は回動板41の短手方向一端部から上方に向かって突出している。
【００３３】
そして、固定板42は、本体部21の固定板28の被圧着面30に面状に摺接して圧着する平面状の圧着面40を一方側の面に有し、溝部７の他方側の溝天板13の先端面（開口部14に臨んだ面）に解除可能に圧着固定される溝側固定面43を反対側である他方側の面に有している。なお、回動板41の短手方向他端部は、自由端部44となっている。
【００３４】
また、回動板41のうち本体板26側とは反対側の長手方向端部が、回動操作部22を本体部21に対して他方向へ回動させる際に、つまり溝部７に対する固定体16の固定解除の際に操作者が指を掛ける指掛部分47となっている。すなわち、回動板41の長手方向寸法が本体板26の長手方向寸法よりも長く、回動板41と本体板26とが重なり合った固定体16の折り畳み状態時には、回動板41の指掛部分47が本体板26の長手方向端部から外方へ突出する（図１参照）。
【００３５】
長尺体17は、固定体16の本体部21の本体板26の短手方向他端部に一体に設けられた細長い矩形板状の長尺部51と、この長尺部51の長手方向端部である先端部に一体に突設され、長尺部51の係合孔部分52と係脱可能に係合する形状をなす連結用の係合部53とを備えている。
【００３６】
長尺部51は、固定体16の長手方向と直交する方向に長手方向を有する細長板状に形成されている。そして、長尺部51は、この長尺部51の長手方向に等間隔をおいて並ぶ複数の係合孔部分52を有している。各係合孔部分52は、長尺部51にその上下面を貫通するように形成され係合部53を挿通可能な孔空間部55と、この孔空間部55の周囲に位置する孔周囲部56とにて構成されている。
【００３７】
孔空間部55は、係合部53と略同形状をなすもので、６角形状の幅広部分55aと、この幅広部分55aよりも幅が狭い４角形状の幅狭部分55bとを有している。幅狭部分55bは、幅広部分55aに対して長尺部51の先端側の位置に配設されている。つまり、互いに対応する形状をなす係合部53と孔空間部55とは、互いに逆向きになっている。なお図示しないが、係合部53と孔空間部55とが同じ向きになるようにしてもよい。
【００３８】
また、孔周囲部56は、平面視でハ字状をなす傾斜面57を有し、この各傾斜面57の内端部に突起59が形成されている。この突起59は、孔空間部55内に向かって突出している。
【００３９】
係合部53は、平面視でＴ字状をなす板状に形成されている。つまり、係合部53は、係合孔部分52の孔空間部55と対応するように、矩形板状をなす先端側の幅広部分53aと、この幅広部分53aよりも幅が狭い矩形板状をなす基端側の幅狭部分53bとを有している。この幅狭部分53bが長尺部51の先端部の幅方向中央部に一体に突設され、この幅狭部分53bの先端部に幅広部分53aが一体に設けられている。
【００４０】
そして、長尺部51の係合孔部分52の孔空間部55に係合部53の幅狭部分53bが挿通され、この係合部53の幅広部分53aの長手方向両端部がその係合孔部分52の孔周囲部56と引っ掛かって係合し、この係合（引掛係合）により、左右２つの吊り具５の長尺体17同士が互いに連結されている（図５参照）。
【００４１】
なお、長尺体17の長尺部51には、この長尺部51の幅方向に沿って位置する長手状の折り曲げ可能な凹溝状で薄肉状の折曲部分58が複数形成されている。各折曲部分58は、例えば互いに隣り合う係合孔部分52間の位置と、先端の係合孔部分52の近傍位置と、基端の係合孔部分52の近傍位置と、長尺部51と本体部21との接続位置とに形成されている。
【００４２】
次に、吊り具５の作用等を説明する。
【００４３】
作品を含む内容物３を額縁本体２の内周に取り付けた額縁１を吊り下げる場合、例えば２本の吊り具５を用意し、まず、各吊り具５の固定体16を額縁本体２の左右両側の溝部７の所望位置に固定的に取り付ける。
【００４４】
すなわち、図３（ａ）および（ｂ）に示すように、吊り具５の固定体16を展開状態のまま、本体部21の固定板28を開口部14から溝部７内に挿入することにより、回動板41の下面および本体板26の下面を溝部７の一方側の溝天板13の上面に当接させるとともに、抜止部分31を溝部７の一方側の溝天板13の下面に当接させ、かつ、その一方側の溝天板13の先端面に固定板28の溝側固定面29を当接させる。つまり、本体部21の一部を溝部７内に挿入して、吊り具５の固定体16を溝部７にこの溝部７に沿ってスライド可能に装着する。
【００４５】
そして、溝部７に対する固定体16の位置調整後、図４（ａ）および（ｂ）に示すように、使用者である操作者は、折曲部23を折り曲げることにより、本体部21と回動操作部22とが重なり合うように固定体16を折り畳む。つまり、折曲部23を弾性変形させつつ、回動操作部22を本体部21に対して一方向に１８０度回動させる。
【００４６】
すると、回動操作部22の固定板42が本体部21の固定板28の被圧着面30と溝部７の他方側の溝天板13の先端面との間の隙間（開口部14の一部）14aに入り込んで、回動操作部22の固定板42の圧着面40が本体部21の固定板28の被圧着面30に圧着する。
【００４７】
また同時に、本体部21の固定板28の溝側固定面29が溝部７の一方側の溝天板13の先端面に圧着固定されるとともに、回動操作部22の固定板42の溝側固定面43が溝部７の他方側の溝天板13の先端面に圧着固定される。
【００４８】
このようにして、２本の吊り具５の固定体16が額縁１の額縁本体２の左右両側の溝部７の所望位置に固定される。
【００４９】
次いで、図５に示すように、２本の吊り具５の長尺体17同士を互いに連結させることにより、２本の吊り具５を１本の連結吊り具６にする。
【００５０】
すなわち、一方の吊り具５の長尺体17の係合部53と他方の吊り具５の長尺体17の長尺部51の複数の係合孔部分52の中から選択した一の係合孔部分52とを互いに係合させるとともに、他方の吊り具５の長尺体17の係合部53と一方の吊り具５の長尺体17の長尺部51の複数の係合孔部分52の中から選択した一の係合孔部分52とを互いに係合させる。その結果、一方の吊り具５の長尺体17の一部と他方の吊り具５の長尺体17の一部とが互いに重なり合って、２本の吊り具５が１本の連結吊り具６となる。
【００５１】
そして、この１本の連結吊り具６の中央部を例えば図示しない壁面の凸状のフックに引っ掛け、こうして、紐状部材を必ずしも用いることなく、２本の吊り具５のみによって額縁１が室内の壁面に吊り下げられる。
【００５２】
また、例えば固定体16の溝部７に対する固定位置を変える場合や、固定体16を溝部７から取り外す場合等には、操作者は、指を回動操作部22の突出状の指掛部分47に掛けて、この回動操作部22を本体部21に対して他方向に回動させる。
【００５３】
すると、回動操作部22の固定板42が本体部21の固定板28の被圧着面30と溝部７の他方側の溝天板13の先端面との間の隙間14aから上方へ脱出して、圧着面40の被圧着面30への圧着が解除される。また同時に、溝部７の一方側の溝天板13の先端面に対する溝側固定面29の圧着固定が解除されるとともに、溝部７の他方側の溝天板13の先端面に対する溝側固定面43の圧着固定が解除される。
【００５４】
そして、このような吊り具５によれば、長尺部51および係合部53を備えた長尺体17が、固定体16に設けられているため、従来とは異なり、例えば吊紐やワイヤ等の紐状部材を用いることなく、壁面等に額縁１を容易に吊り下げることができる。
【００５５】
また、長尺部51は、この長尺部51の長手方向に間隔をおいて並ぶ複数の係合孔部分52を有するため、額縁１の大きさ等に応じて適切な係合孔部分52を選択でき、大きさ等の異なる各種の額縁１に適切に対応できる。
【００５６】
さらに、係合部53は、平面視でＴ字状をなす板状に形成されているため、係合部53と係合孔部分52とを適切に係合させることができ、２本の吊り具５の連結状態を適切に維持できる。
【００５７】
また、固定体16の回動操作部22の一方向への回動に基づいて回動操作部22が本体部21に圧着すると、これら本体部21および回動操作部22が額縁１の溝部７に固定され、また回動操作部22の他方向への回動に基づいて回動操作部22の本体部21への圧着が解除されると、額縁１の溝部７に対する本体部21および回動操作部22の固定が解除されるため、従来とは異なり、例えばドライバー等の工具を使用することなく、吊り具５を額縁１の溝部７に容易に固定できるとともに、その固定を容易に解除できる。
【００５８】
また、回動操作部22は、操作者が指を掛ける指掛部分47を有するため、回動操作部22を本体部21に対して他方向へ回動させる際に、工具レスで回動操作部22を容易に回動させることができ、操作性が良好である。
【００５９】
なお、上記実施の形態では、２本の吊り具５を用いて額縁１を吊り下げる場合について説明したが、例えば図６に示すように、１本の吊り具５のみで、額縁１を吊り下げることも可能である。この場合、吊り具５の固定体16を額縁本体２の上側の溝部７の所望位置に固定し、この固定した吊り具５の長尺体17の係合孔部分52に壁面のフック（図示せず）を挿入して長尺体17をフックに引っ掛ける。
【００６０】
また、例えば図７に示すように、額物１が横長状で、２本の吊り具５では長さが足らない場合には、延長用の吊り具61を例えば１本使用し、この吊り具61を介して２本の吊り具５同士を連結するようにしてもよい。なお、額物１の大きさによっては、吊り具61を複数本使用することもある。
【００６１】
そして、この延長用の吊り具61は、図８に示すように、図１に示す吊り具５において、固定体16の代わりに、係合部53を設けたものである。換言すると、この図８に示す延長用の吊り具61は、固定体16を備えておらず、長手方向両端部にＴ字状の係合部53を有した長尺体17のみで構成されている。この長尺体17は、長手方向に間隔をおいて並ぶ複数の係合孔部分52を有する長尺部51と、この長尺部51の長手方向両端部に一体に設けられ係合孔部分52と係合する形状の係合部53とを備えている。
【００６２】
さらに、例えば図９に示すように、その延長用の吊り具61を使用して、２つの額物１を連結することも可能である。この図９の例では、２本の吊り具61が使用されており、各吊り具61の上端部の係合部53が上側の額縁１の溝部７の下位置に固定され、かつ各吊り具61の下端部の係合部53が下側の額縁１の溝部７の上位置に固定されている。
【００６３】
なお、吊り具５の固定体16は、折曲部23を備えた構成には限定されず、例えば回動操作部22が本体部21に回動中心軸を介して回動可能に設けられた構成等でもよい。
【００６４】
また、例えば固定体16は、圧着面40と被圧着面30との圧着状態を適切に維持できるように、回動操作部22が凸状の係合部分を有しかつ本体部21がその係合部分との係合により回動操作部22の他方向への回動を規制する凹状の係合受け部分を有する構成等でもよい。
【００６５】
さらに、例えば固定体16は、操作性の向上のために、回動操作部22が凸状の指掛部分を有する構成等でもよい。
【００６６】
また、長尺体17の係合孔部分52の数は、任意であるが、例えば１０個以上が好ましい。
【００６７】
さらに、例えば長尺体17は、係合孔部分52の数を示す番号（例えば「１」〜「10」等）が長尺部51の上面における各係合孔部分52の対応位置に付された構成等でもよい。
【符号の説明】
【００６８】
１    額縁
５    吊り具
７    溝部
16    固定体
17    長尺体
21    本体部
22    回動操作部
51    長尺部
52    係合孔部分
53    係合部
【図１】
2014128311.tif 000003
【図２】
2014128311.tif 000004
【図３】
2014128311.tif 000005
【図４】
2014128311.tif 000006
【図５】
2014128311.tif 000007
【図６】
2014128311.tif 000008
【図７】
2014128311.tif 000009
【図８】
2014128311.tif 000010
【図９】
2014128311.tif 000011